(57)【特許請求の範囲】
【請求項１】
複数の層のプラスチックフィルムの結合のための方法であって、プラスチックフィルムを縁部区分で超音波溶接手段によって互いに結合し、この場合にプラスチックフィルムが、各層のプラスチックフィルムを互いに結合して成るプラスチックフィルム束から個別に取り外しできるようになっている形式のものにおいて、超音波溶接手段による超音波溶接をピン状のソノトロードによって行い、該ピン状のソノトロードに、該ソノトロードに対して大きな直径の付加部を設け、さらに該付加部に、互いに相対する少なくとも２つの尖端部分を設けて、前記ピン状のソノトロードをプラスチックフィルム束の溶接すべき層内に押し込み、かつ前記付加部の互いに相対する少なくとも２つの尖端部分を溶接過程の終了に際してプラスチックフィルム束の溶接すべき最上位置の層に当てつけて該尖端部分によって最上位置の層を互いに溶接することを特徴とする、複数の層のプラスチックフィルムの結合のための方法。
【請求項２】
少なくとも２つの溶接箇所を設ける請求項１記載の方法。
【請求項３】
溶接箇所を、プラスチックフィルム束からのプラスチックフィルムの個別の取り外しに際してプラスチックフィルム自体の損傷若しくは裂断が生じない程度に容易に切り離し可能に形成する請求項１又は２項記載の方法。
【請求項４】
溶接箇所をプラスチックフィルムの取り外すべき部分に対してパーフォレーションラインによって切り離す請求項１又は２項記載の方法。
【請求項５】
パーフォレーションラインをプラスチックフィルムの１つの外側縁部に対して平行に配置する請求項４記載の方法。
【請求項６】
各溶接箇所をそれぞれ１つのパーフォレーションラインによって取り囲み、該パーフォレーションラインを一方の端部で以てプラスチックフィルムの１つの外側縁部から始まって、他方の端部で以て前記同じ外側縁部に達するように形成する請求項４記載の方法。
【請求項７】
パーフォレーションラインを、該パーフォレーションラインで溶接箇所を半円形に取り囲むように形成する請求項６記載の方法。
【請求項８】
パーフォレーションラインを、該パーフォレーションラインで溶接箇所を方形に取り囲むように形成する請求項６記載の方法。
【請求項９】
ピン状のソノトロードをプラスチックフィルムの溶接すべき層内に押し込んで、溶接リングを形成する請求項１から８のいずれか１項記載の方法。
【請求項１０】
ピン状のソノトロードを押さえ付け部材の孔内に差し込み、該押さえ付け部材によって、プラスチックフィルムの溶接すべき層を押圧する請求項１から９のいずれか１項記載の方法。
【発明の詳細な説明】
【０００１】
【発明の属する技術分野】
本発明は、複数の層のプラスチックフィルム若しくはプラスチックシート、特にプラスチック袋を１つの束に結合するための方法であって、プラスチックフィルム若しくはプラスチック袋を縁部区分で超音波溶接手段によって互いに結合し、この場合にプラスチックフィルム若しくはプラスチック袋が前記１つの束から個別に取り外し、即ち切り離しできるようになっている形式のものに関する。
【０００２】
【従来の技術】
ドイツ連邦共和国特許出願第-A-１９９３５０６５号明細書により、プラスチック袋（プラスチックバッグ[plastic bag]）のパイルを加熱可能なニードルによって溶接（溶着）することが公知である。
【０００３】
前記方法によっては、互いに隣接するすべての袋を均一に結合することができない。
【０００４】
【特許文献１】
ドイツ連邦共和国特許出願第-A-１９９３５０６５号明細書
【０００５】
【発明が解決しようとする課題】
本発明の課題は、複数の層のプラスチックフィルム若しくはプラスチック袋を１つのプラスチックフィルム束若しくはプラスチック袋束に結合するための方法を改善して、すべてのプラスチックフィルム若しくはプラスチック袋を互いに少なくともほぼ均一に結合し、その結果、個別のプラスチックフィルム若しくはプラスチック袋を常にほぼ同じ取り外し力若しくは切り離し力で取り外し若しくは切り離しできるようにすることである。
【０００６】
【課題を解決するための手段】
前記課題を解決するために本発明に基づく手段では、超音波溶接手段による超音波溶接をピン状のソノトロードによって行い、該ピン状のソノトロードに、該ソノトロードに対して大きな直径の付加部を設け、さらに該付加部に、互いに相対する少なくとも２つの尖端部分を設けて、前記ピン状のソノトロードをプラスチックフィルム束の溶接すべき層内に押し込み、かつ前記付加部の互いに相対する少なくとも２つの尖端部分を溶接過程の終了に際してプラスチックフィルム束の溶接すべき最上位置の層に当てつけて該尖端部分によって最上位置の層を互いに溶接するようになっている。
【０００７】
【発明の効果】
本発明に基づく前述の手段によって、個別の層、即ち個別のプラスチックフィルム若しくはプラスチック袋間の極めて均一な結合部が得られ、プラスチックフィルム束若しくはプラスチック袋束の最上位置の層も確実に圧着される。
【０００８】
本発明の有利な実施態様では、少なくとも２つの溶接箇所を設けるようになっている。これによって、個別の溶接箇所の必要な保持力を小さく保つとともに、結合されたプラスチック袋若しくはプラスチックフィルムを極めて良好にまとめておくことができる。
【０００９】
本発明の別の有利な実施態様では、溶接箇所が、該溶接箇所を、プラスチックフィルム束からのプラスチックフィルムの個別の取り外しに際してプラスチックフィルム自体の損傷若しくは裂断が生じない程度に容易に切り離せるように形成されている。これによってプラスチック袋若しくはプラスチックフィルムの処理が、機械を用いて、プラスチック袋若しくはプラスチックフィルムの損傷、例えば裂断の発生なしに可能である。
【００１０】
個別の層、即ち個別のプラスチック袋若しくはプラスチックフィルムの容易な取り外し、即ち切り離しが、本発明の有利な実施態様では溶接箇所をプラスチックフィルムの取り外すべき、即ち切り離すべき部分に対してパーフォレーションラインによって区切ることによっても達成される。
【００１１】
本発明の実施態様では、パーフォレーションラインをプラスチックフィルムの１つの外側縁部に対して平行に配置してある。これによって、プラスチック袋若しくはプラスチックフィルムが、溶接箇所を含む縁部区分（エッジストリップ）から特に簡単に切り離される。
【００１２】
本発明の別の実施態様では、各溶接箇所をそれぞれ１つのパーフォレーションラインによって取り囲んであり、該各パーフォレーションラインの両方の端部がプラスチックフィルムの同一の外側縁部に達して、同一の外側縁部に位置している。
【００１３】
一方の端部でプラスチックフィルムの１つの外側縁部から出発してかつ他方の端部で該同一の外側縁部に到達する前記パーフォレーションラインが、本発明の有利な実施態様では、溶接箇所を半円形若しくは方形に取り囲んでいる。
【００１４】
本発明のさらに別の実施態様では、ソノトロードが溶接に際してプラスチックフィルム若しくはプラスチック袋の溶接すべき層内を貫通して、溶接リング若しくは溶着リングを形成するようになっている。この場合、ソノトロードが溶接過程中に溶接すべきプラスチックフィルム束若しくはプラスチック袋束内で降下させられて、該プラスチックフィルム束若しくはプラスチック袋束の個々のすべての層と接触するようになっている。
【００１５】
本発明の極めて有利な実施態様では、超音波溶接のために用いられるソノトロードが、押さえ付け部材の孔内を通され、押さえ付け部材が、溶接すべきプラスチック層、即ちプラスチックフィルムを押圧する。
【００１７】
【発明の実施の形態】
図１に符合１でプラスチック袋２のプラスチック袋束を表しており、最も上側に位置するプラスチック袋２のみが図面に示されている。プラスチック袋２は手さげ握り部（キャリーハンドル[carry handle]）３を備えており、一方の側壁４が他方の側壁５に比べて短く形成されている。袋詰め中にプラスチック袋２を固定するための２つの穴６が長い方の側壁(サイドパネル[side panel])内に設けられている。４つの溶接箇所７によって個別の袋が互いに結合されている。４つの溶接箇所７は、横方向に側壁５にわたって延びるパーフォレーションライン８によって側壁５のほかの部分から区切られている。パーフォレーションライン(perforation line)８に沿って、それぞれ１つのプラスチック袋２がプラスチック袋束１から切り離される。
【００１８】
図２に実質的に同一のプラスチック袋２のプラスチック袋束２１が示してある。第２の側壁２５に設けられた溶接箇所７は個別にパーフォレーションライン２８，３８によって区切られている。
【００１９】
パーフォレーションライン２８が溶接箇所７の回りに半円形に形成されていて、即ち溶接箇所を半円形に取り囲んでおり、パーフォレーションラインの両端が側壁２５の共通の１つの縁部に達している。これに対して、パーフォレーションライン３８は溶接箇所７を方形に取り囲んで延びている。
【００２０】
図３にピン状のソノトロード３２を示してあり、ピン状のソノトロードが金敷３１と協働するようになっている。ピン状のソノトロード３２はほぼ２．５ｍｍの直径を有している。ピン状のソノトロードには、金敷３１と逆の側の区分に大きな直径の付加部３０を設けてあり、該付加部３０の下側の端部に、互いに直径方向で相対する尖端部分３３が設けられている。ソノトロード３２は押さえ付け部材３５の孔３４を貫通していて、高さ調節可能に支承されている。
【００２１】
プラスチック袋２の溶着すべきプラスチック袋束１が金敷３１上に載せられて、押さえ付け部材３５によって堅く保持される。
【００２２】
ピン状のソノトロード３２はプラスチック袋束１上に装着されて、超音波機構を接続すると同時に、下方へ押圧される。これによって、ピン状のソノトロードがプラスチック袋束１内に押し込まれて溶接（溶着）を行う。溶着過程終了時点で両方の尖端部分３３がプラスチック袋束１の最上位置の袋に当て付けられて、最上位置の層を付加的に溶着する。
【００２３】
プラスチック袋束１からのピン状のソノトロード３２の引き抜きの後に、円筒形の溶着通路が生じており、溶着部が個別の層を互いに結合している。
【図面の簡単な説明】
【図１】  下側の端部を溶接箇所によって互いに結合されたプラスチック袋から成るプラスチック袋束の平面図。
【図２】  プラスチック袋から成る別のプラスチック袋束の平面図。
【図３】  プラスチック袋を溶接するためのソノトロードの概略図。
【符号の説明】
１  プラスチック袋束、  ２  プラスチック袋、  ３  手さげ握り部、  ４，５  側壁、  ６  穴、  ７  溶接箇所、  ８  パーフォレーションライン、  ２８  パーフォレーションライン、  ３０  付加部、  ３２  ソノトロード、  ３３  尖端部分、３４  孔、  ３５  押さえ付け部材
【図１】
0003860551.tif 000002
【図２】
0003860551.tif 000003
【図３】
0003860551.tif 000004